(57)【特許請求の範囲】
【請求項１】
操作入力を行うための複数の操作対象物が表示される表示面に接触する物体を検出する検出部と、
前記表示面における物体の接触サイズに基づいて、前記複数の操作対象物のそれぞれを、当該接触サイズによる操作入力を不能とする第１操作対象物と、当該接触サイズによる操作入力を可能とする第２操作対象物との何れかに決定し、前記表示面において前記第１操作対象物および前記第２操作対象物を異なる表示態様で同時に表示させる制御部と
を具備する表示制御装置。
【請求項２】
前記制御部は、前記表示面における前記複数の操作対象物の表示倍率の変更操作が受け付けられた場合には、変更後の表示倍率に係る前記第１操作対象物および前記第２操作対象物を新たに決定する請求項１記載の表示制御装置。
【請求項３】
前記制御部は、前記表示面における物体の接触サイズにより特定される値を基準として、前記複数の操作対象物のうちの２つの操作対象物間の前記表示面における距離が小さい場合には、前記２つの操作対象物を前記第１操作対象物として決定する請求項１または２記載の表示制御装置。
【請求項４】
前記制御部は、前記表示面における物体の接触サイズと、前記表示面における前記操作対象物のサイズとの比較結果に基づいて、前記第１操作対象物および前記第２操作対象物を決定する請求項１乃至３の何れかに記載の表示制御装置。
【請求項５】
前記制御部は、前記表示面における物体の接触サイズを基準とし、前記表示面における前記操作対象物のサイズが大きい場合には当該操作対象物を前記第２操作対象物とし、前記表示面における前記操作対象物のサイズが小さい場合には当該操作対象物を前記第１操作対象物として決定する請求項１乃至４の何れかに記載の表示制御装置。
【請求項６】
前記制御部は、前記表示面における物体の接触サイズに基づいて、前記第１操作対象物および前記第２操作対象物を決定することにより前記操作対象物の操作内容を変更する請求項１乃至５の何れかに記載の表示制御装置。
【請求項７】
前記制御部は、前記表示面における物体の接触サイズに基づいて操作入力を不能とすることが判断される操作対象物であっても前記表示面における所定領域内に存在する当該操作対象物および他の操作対象物の数が所定数以内の場合には当該操作対象物を前記第２操作対象物として決定する請求項１記載の表示制御装置。
【請求項８】
前記制御部は、前記表示面における物体の接触サイズに基づいて操作入力を不能とすることが判断される操作対象物が存在する場合には当該操作対象物の操作入力を可能とするサイズまで当該操作対象物を拡大して表示させるための制御を行う請求項１記載の表示制御装置。
【請求項９】
操作入力を行うための複数の操作対象物が表示される表示面に接触する物体を検出する検出手順と、
前記表示面における物体の接触サイズに基づいて、前記複数の操作対象物のそれぞれを、当該接触サイズによる操作入力を不能とする第１操作対象物と、当該接触サイズによる操作入力を可能とする第２操作対象物との何れかに決定し、前記表示面において前記第１操作対象物および前記第２操作対象物を異なる表示態様で同時に表示させる制御手順と
を具備する表示制御装置の制御方法。
【請求項１０】
操作入力を行うための複数の操作対象物が表示される表示面に接触する物体を検出する検出手順と、
前記表示面における物体の接触サイズに基づいて、前記複数の操作対象物のそれぞれを、当該接触サイズによる操作入力を不能とする第１操作対象物と、当該接触サイズによる操作入力を可能とする第２操作対象物との何れかに決定し、前記表示面において前記第１操作対象物および前記第２操作対象物を異なる表示態様で同時に表示させる制御手順と
をコンピュータに実行させるプログラム。
【発明の詳細な説明】
【技術分野】
【０００１】
本技術は、表示制御装置に関する。詳しくは、画像を表示させる表示制御装置およびその制御方法ならびに当該方法をコンピュータに実行させるプログラムに関する。
【背景技術】
【０００２】
従来、複数の機能を備える携帯電話装置やデジタルスチルカメラ等の電子機器が普及している。また、所望の機能を実行させるための各操作をユーザが行うためのメニュー画面をタッチパネルに表示させ、このタッチパネルの操作入力に応じた機能を実行する電子機器が存在する。
【０００３】
例えば、メニュー画面において、基点からの距離が大きくなるのに応じて、大きいサイズでアイコンを表示する表示操作装置が提案されている（例えば、特許文献１参照。）。
【先行技術文献】
【特許文献】
【０００４】
【特許文献１】特開２００９−２６５７９３号公報
【発明の概要】
【発明が解決しようとする課題】
【０００５】
上述の従来技術では、表示面への指先の接触面積に応じたサイズでアイコンが表示されるため、誤操作を減少させることができる。
【０００６】
ここで、複数の機能を備える電子機器を操作する場合には、表示画面における操作対象となる項目の数が多くなることも想定される。このため、表示画面における操作対象となる項目の数が多い場合でも、誤操作を防止することが重要となる。
【０００７】
本技術はこのような状況に鑑みて生み出されたものであり、表示面における操作対象物の誤操作を防止することを目的とする。
【課題を解決するための手段】
【０００８】
本技術は、上述の問題点を解消するためになされたものであり、その第１の側面は、操作入力を行うための複数の操作対象物が表示される表示面に接触する物体を検出する検出部と、上記表示面における物体の接触サイズに基づいて、上記複数の操作対象物のそれぞれを、当該接触サイズによる操作入力を不能とする第１操作対象物と、当該接触サイズによる操作入力を可能とする第２操作対象物との何れかに決定し、上記表示面において上記第１操作対象物および上記第２操作対象物を異なる表示態様で同時に表示させる制御部とを具備する表示制御装置およびその制御方法ならびに当該方法をコンピュータに実行させるプログラムである。これにより、表示面における物体の接触サイズに基づいて、複数の操作対象物のそれぞれを、接触サイズによる操作入力を不能とする第１操作対象物と、接触サイズによる操作入力を可能とする第２操作対象物との何れかに決定し、表示面において第１操作対象物および第２操作対象物を異なる表示態様で同時に表示させるという作用をもたらす。
【０００９】
また、この第１の側面において、上記制御部は、上記表示面における上記複数の操作対象物の表示倍率の変更操作が受け付けられた場合には、変更後の表示倍率に係る上記第１操作対象物および上記第２操作対象物を新たに決定するようにしてもよい。これにより、表示面における複数の操作対象物の表示倍率の変更操作が受け付けられた場合には、変更後の表示倍率に係る第１操作対象物および第２操作対象物を新たに決定するという作用をもたらす。
【００１０】
また、この第１の側面において、上記制御部は、上記表示面における物体の接触サイズにより特定される値を基準として、上記複数の操作対象物のうちの２つの操作対象物間の上記表示面における距離が小さい場合には、上記２つの操作対象物を上記第１操作対象物として決定するようにしてもよい。これにより、表示面における物体の接触サイズにより特定される値を基準として、複数の操作対象物のうちの２つの操作対象物間の表示面における距離が小さい場合には、その２つの操作対象物を第１操作対象物として決定するという作用をもたらす。
【００１１】
また、この第１の側面において、上記制御部は、上記表示面における物体の接触サイズと、上記表示面における上記操作対象物のサイズとの比較結果に基づいて、上記第１操作対象物および上記第２操作対象物を決定するようにしてもよい。これにより、表示面における物体の接触サイズと、表示面における操作対象物のサイズとの比較結果に基づいて、第１操作対象物および第２操作対象物を決定するという作用をもたらす。
【００１２】
また、この第１の側面において、上記制御部は、上記表示面における物体の接触サイズを基準とし、上記表示面における上記操作対象物のサイズが大きい場合には当該操作対象物を上記第２操作対象物とし、上記表示面における上記操作対象物のサイズが小さい場合には当該操作対象物を上記第１操作対象物として決定するようにしてもよい。これにより、表示面における物体の接触サイズを基準とし、表示面における操作対象物のサイズが大きい場合には、その操作対象物を第２操作対象物とし、表示面における操作対象物のサイズが小さい場合には、その操作対象物を第１操作対象物とするという作用をもたらす。
【００１３】
また、この第１の側面において、上記制御部は、上記表示面における物体の接触サイズに基づいて、上記第１操作対象物および上記第２操作対象物を決定することにより上記操作対象物の操作内容を変更するようにしてもよい。これにより、表示面における物体の接触サイズに基づいて、第１操作対象物および第２操作対象物を決定することにより、操作対象物の操作内容を変更するという作用をもたらす。
【００１４】
また、この第１の側面において、上記制御部は、上記表示面における物体の接触サイズに基づいて操作入力を不能とすることが判断される操作対象物であっても上記表示面における所定領域内に存在する当該操作対象物および他の操作対象物の数が所定数以内の場合には当該操作対象物を上記第２操作対象物として決定するようにしてもよい。これにより、表示面における物体の接触サイズに基づいて操作入力を不能とすることが判断される操作対象物であっても、表示面における所定領域内に存在するその操作対象物および他の操作対象物の数が所定数以内の場合には、その操作対象物を第２操作対象物として決定するという作用をもたらす。
【００１５】
また、この第１の側面において、上記制御部は、上記表示面における物体の接触サイズに基づいて操作入力を不能とすることが判断される操作対象物が存在する場合には当該操作対象物の操作入力を可能とするサイズまで当該操作対象物を拡大して表示させるための制御を行うようにしてもよい。これにより、表示面における物体の接触サイズに基づいて操作入力を不能とすることが判断される操作対象物が存在する場合には、その操作対象物の操作入力を可能とするサイズまでその操作対象物を拡大して表示させるという作用をもたらす。
【発明の効果】
【００１７】
本技術によれば、表示面における操作対象物の誤操作を防止することができるという優れた効果を奏し得る。
【図面の簡単な説明】
【００１８】
【図１】本技術の第１の実施の形態における表示制御装置１００の外観構成例を示す斜視図である。
【図２】本技術の第１の実施の形態における表示制御装置１００の機能構成例を示すブロック図である。
【図３】本技術の第１の実施の形態における入出力部１５０に表示される表示画面例（メニュー画面３００）を示す図である。
【図４】本技術の第１の実施の形態における入出力部１５０に表示される操作対象物と、サイズ情報保持部１７１に保持されている基準サイズとの関係を示す図である。
【図５】本技術の第１の実施の形態における入出力部１５０に表示される表示画面例を示す図である。
【図６】本技術の第１の実施の形態における入出力部１５０に表示される表示画面例を示す図である。
【図７】本技術の第１の実施の形態における入出力部１５０に表示される表示画面例を示す図である。
【図８】本技術の第１の実施の形態における入出力部１５０に表示される表示画面例を示す図である。
【図９】本技術の第１の実施の形態における入出力部１５０に表示される表示画面例を示す図である。
【図１０】本技術の第１の実施の形態における表示制御装置１００による表示制御処理の処理手順の一例を示すフローチャートである。
【図１１】本技術の第１の実施の形態における表示制御装置１００による表示制御処理の処理手順の一例を示すフローチャートである。
【図１２】本技術の第２の実施の形態における表示制御装置１００による表示制御処理の処理手順の一例を示すフローチャートである。
【図１３】本技術の実施の形態における入出力部１５０に表示される表示画面例（検出サイズ測定画面５００）およびその測定結果を示す図である。
【発明を実施するための形態】
【００１９】
以下、本技術を実施するための形態（以下、実施の形態と称する）について説明する。説明は以下の順序により行う。
１．第１の実施の形態（表示制御：基準サイズおよび検出サイズ（接触サイズ）に基づいて詳細操作対象物および簡易操作対象物を決定する例）
２．第２の実施の形態（表示制御：検出サイズ（接触サイズ）に基づいて操作対象物の表示倍率を変更する例）
３．変形例
【００２０】
＜１．第１の実施の形態＞
［表示制御装置の外観構成例］
図１は、本技術の第１の実施の形態における表示制御装置１００の外観構成例を示す斜視図である。図１（ａ）には、表示制御装置１００の一の面（すなわち、入出力部１５０が設けられている面）側の外観を示す。また、図１（ｂ）には、表示制御装置１００の他の面（すなわち、レンズ１２１が設けられている面）側の外観を示す。
【００２１】
表示制御装置１００は、第１ボタン１１１乃至第５ボタン１１５と、スピーカ１０１、１０２と、レンズ１２１と、入出力部１５０とを備える。例えば、表示制御装置１００は、各種画像を表示させることが可能な無線通信装置（例えば、通話機能およびデータ通信機能を備える携帯電話装置やスマートフォン）により実現される。なお、表示制御装置１００には他の操作部材を設けることも可能であるが、これらの図示および説明については省略する。
【００２２】
第１ボタン１１１乃至第５ボタン１１５は、表示制御装置１００における各操作を行うための操作部材である。
【００２３】
スピーカ１０１、１０２は、各種の音声情報を出力するスピーカである。例えば、スピーカ１０１は、通話時に使用されるスピーカであり、スピーカ１０２は、コンテンツ再生時等に使用されるスピーカである。
【００２４】
レンズ１２１は、被写体からの光を集光するレンズである。
【００２５】
入出力部１５０は、各種画像を表示するとともに、表示面に近接または接触する物体の検出状態に基づいてユーザからの操作入力を受け付けるものである。なお、入出力部１５０は、タッチスクリーンまたはタッチパネルとも称される。
【００２６】
［表示制御装置の機能構成例］
図２は、本技術の第１の実施の形態における表示制御装置１００の機能構成例を示すブロック図である。
【００２７】
表示制御装置１００は、操作受付部１１０と、撮像部１２０と、記録媒体制御部１３０と、記録媒体１４０と、入出力部１５０と、入力制御部１６０と、制御部１７０と、サイズ情報保持部１７１と、表示制御部１８０とを備える。なお、表示制御装置１００における無線通信に関する各構成については、その図示および説明を省略する。
【００２８】
操作受付部１１０は、ユーザにより行われた操作を受け付ける操作受付部であり、受け付けられた操作内容に応じた制御信号（操作信号）を制御部１７０に出力する。操作受付部１１０は、図１に示す第１ボタン１１１乃至第５ボタン１１５に対応する。
【００２９】
撮像部１２０は、レンズ（図１（ｂ）に示すレンズ１２１）を介して入射された被写体の光を電気信号に変換する撮像素子と、この撮像素子の出力信号（撮像信号）を処理して撮像画像（画像データ）を生成する画像信号処理部とを備える。すなわち、撮像部１２０において、レンズを介して入射された被写体の光学像が撮像素子の撮像面に結像され、この状態で撮像素子が撮像動作を行い、画像信号処理部が撮像信号に対して信号処理を行うことにより撮像画像が生成される。この撮像画像の生成は、操作受付部１１０または受付部１５１から出力される撮像動作の開始指示情報に基づいて行われる。そして、生成された撮像画像が記録媒体制御部１３０および表示制御部１８０に供給される。
【００３０】
記録媒体制御部１３０は、制御部１７０の制御に基づいて、記録媒体１４０への記録または記録媒体１４０からの読み出しの制御を行うものである。例えば、記録媒体制御部１３０は、撮像部１２０から出力された撮像画像（画像データ）を静止画コンテンツ（静止画ファイル）として記録媒体１４０に記録させる。また、例えば、記録媒体制御部１３０は、撮像部１２０から出力された撮像画像（画像データ）と、音声信号処理部（図示せず）から出力された音声データとを関連付けた動画コンテンツ（動画ファイル）を記録媒体１４０に記録させる。また、例えば、記録媒体制御部１３０は、記録媒体１４０に記憶されている動画コンテンツを読み出し、その動画コンテンツに含まれる画像データを表示制御部１８０に出力する。また、その動画コンテンツに含まれる音声データは、スピーカ１０２（図１（ｂ）に示す）から出力される。
【００３１】
記録媒体１４０は、記録媒体制御部１３０の制御に基づいて各種情報（静止画コンテンツや動画コンテンツ）を記憶するものである。また、記録媒体１４０は、記憶されている各種情報を記録媒体制御部１３０に供給する。
【００３２】
入出力部１５０は、受付部１５１および表示部１５２を備える。例えば、受付部１５１として、導電性を有する物体（例えば、人物の指）の接触または近接を、静電容量の変化に基づいて検出する静電式（静電容量方式）のタッチパネルを用いることができる。また、例えば、表示部１５２として、ＬＣＤ（Liquid Crystal Display）、有機ＥＬ（Electro Luminescence）パネル等の表示パネルを用いることができる。そして、入出力部１５０は、例えば、表示パネルの表示面上に、透明なタッチパネルを重ね合わせることにより構成される。
【００３３】
入出力部１５０は、表示制御部１８０の制御に基づいて各種画像を表示部１５２に表示するとともに、入出力部１５０の表示面（表示部１５２の表示面）に近接または接触する物体の検出状態に基づいてユーザからの操作入力を受付部１５１により受け付ける。また、受付部１５１は、受け付けられた操作入力に応じた制御信号を入力制御部１６０に出力する。
【００３４】
受付部１５１は、入出力部１５０の表示面に近接または接触する物体（例えば、ユーザの指）の検出状態に基づいて、その物体による操作入力を受け付けるものである。例えば、受付部１５１は、格子状に配置されている複数の静電センサを備える。この静電センサは、入出力部１５０の表示面に物体（導電性を有する物体（例えば、ユーザの指や手））が近接または接触すると、静電容量を増加させるセンサである。そして、受付部１５１は、静電センサの静電容量が変化すると、その静電センサの静電容量の値と、その静電センサの受付部１５１の操作面における位置とを含む情報（静電センサ情報）を入力制御部１６０に出力する。なお、以下では、入出力部１５０の表示面に接触する物体の検出例のみを示すが、入出力部１５０の表示面に近接する物体の検出についても同様に適用することができる。また、受付部１５１は、操作入力を行うための操作対象物が表示される表示面に接触する物体を検出する検出部である。すなわち、受付部１５１は、特許請求の範囲に記載の検出部の一例である。なお、操作対象物は、例えば、図３に示す設定操作画像３３１乃至３３４のように、入出力部１５０に表示されるものである。例えば、操作対象物は、操作入力を行うためのデータやオブジェクト（例えば、ＧＵＩ（Graphical User Interface）パーツ）である。
【００３５】
表示部１５２は、表示制御部１８０の制御に基づいて各画像を表示する表示パネルである。なお、表示部１５２における表示例については、図３乃至図９等に示す。
【００３６】
入力制御部１６０は、受付部１５１により受け付けられるユーザによる操作入力（例えば、タッチ操作（タップ操作））に関する制御を行うものである。例えば、入力制御部１６０は、受付部１５１から出力された静電センサ情報に基づいて、入出力部１５０の表示面においてユーザの指が接触した範囲（接触範囲）を検出し、その表示面に対応する座標軸に基づいてその接触範囲を座標に変換する。そして、入力制御部１６０は、変換後の座標に基づいてその接触範囲の形状を算出し、その形状における重心の座標を算出する。また、入力制御部１６０は、その算出された重心の座標をユーザの指が接触した位置（接触位置）の座標として算出する。そして、入力制御部１６０は、算出された接触範囲の形状および接触位置の座標に関する操作情報を制御部１７０に出力する。制御部１７０は、入力制御部１６０から出力される操作情報（接触範囲の形状、接触位置の座標等）に基づいて、入出力部１５０の表示面におけるユーザの操作入力を認識する。
【００３７】
制御部１７０は、操作受付部１１０からの操作信号と、入力制御部１６０からの操作情報（接触範囲の形状、接触位置の座標等）とに基づいて、表示制御装置１００の各部を制御するものである。また、制御部１７０は、入出力部１５０の表示面において検出されたユーザによる接触操作の接触サイズ（検出サイズ）をサイズ情報保持部１７１に保持させる。
【００３８】
また、例えば、制御部１７０は、入出力部１５０の表示面における物体（例えば、ユーザの指）の接触サイズ（検出サイズ）に基づいて、操作対象物の操作内容を変更するための制御を行う。すなわち、制御部１７０は、入出力部１５０の表示面における物体の接触サイズ（検出サイズ）に基づいて、複数の操作対象物のうちの少なくとも一部の操作内容を変更する。例えば、制御部１７０は、入出力部１５０の表示面における物体の接触サイズ（検出サイズ）に基づいて、操作対象物の操作入力を不能とすることにより、操作対象物の操作内容を変更する。
【００３９】
また、例えば、制御部１７０は、入出力部１５０の表示面における物体の接触サイズ（検出サイズ）と、入出力部１５０の表示面における操作対象物のサイズとの比較結果に基づいて、操作内容を変更する。具体的には、制御部１７０は、入出力部１５０の表示面における物体の接触サイズ（検出サイズ）を基準とし、入出力部１５０の表示面における操作対象物のサイズが大きい場合には、その操作対象物の操作入力を可能とする。一方、制御部１７０は、入出力部１５０の表示面における操作対象物のサイズが小さい場合には、その操作対象物の操作入力を不能とする。なお、本技術の第１の実施の形態では、操作入力を不能とされた操作対象物を、簡易操作対象物と称し、操作入力を可能とされた操作対象物を、詳細操作対象物と称する。
【００４０】
サイズ情報保持部１７１は、詳細操作対象物および簡易操作対象物を決定する際に用いられる基準サイズおよび接触サイズ（検出サイズ）を保持するものであり、保持されている各サイズ情報を制御部１７０に供給する。
【００４１】
ここで、基準サイズは、操作に用いられるスタイラスや標準的なユーザの手指の大きさを示す値（規定値）であり、予め設定されている。また、接触サイズ（検出サイズ）は、受付部１５１において検出された値（ユーザが操作に用いるスタイラスやユーザの手指の大きさを示す値）に基づく値である。
【００４２】
例えば、制御部１７０は、受付部１５１において検出された値（例えば、ユーザの指が接触した面積（接触面積））をサイズ情報保持部１７１に順次保持させる。そして、制御部１７０は、サイズ情報保持部１７１に保持されている接触面積の平均値を算出して、この平均値を接触サイズ（検出サイズ）としてサイズ情報保持部１７１に保持させる。すなわち、接触サイズ（検出サイズ）は、例えば、実際に行われた入力値の平均値である。ただし、大人が使用した後に子供が使用するような状況も考えられるため、単位時間あたりの平均値を接触サイズ（検出サイズ）として用いることが好ましい。
【００４３】
表示制御部１８０は、制御部１７０の制御に基づいて各画像を表示部１５２に出力させるものである。例えば、表示制御部１８０は、撮像動作を行う際における各種設定を行うための設定画面（例えば、図３に示すメニュー画面３００）や、撮像部１２０から出力された撮像画像（いわゆる、スルー画像）を表示部１５２に表示させる。また、例えば、表示制御部１８０は、記録媒体１４０に記憶されているコンテンツ（例えば、静止画コンテンツまたは動画コンテンツ）を表示部１５２に表示させる。
【００４４】
［メニュー画面の表示例］
図３は、本技術の第１の実施の形態における入出力部１５０に表示される表示画面例（メニュー画面３００）を示す図である。なお、図３乃至図９等では、第１ボタン１１１乃至第５ボタン１１５、スピーカ１０１等の表示を省略して示す。
【００４５】
メニュー画面３００は、メニュー全体を見渡すため、操作対象物がその種類に応じてグループ化された状態で表示される画面である。すなわち、グループ化された操作対象物が縮小表示された状態（俯瞰状態）で９の領域にグループ単位で分類され、１つの画面（メニュー画面３００）に表示される。なお、各グループには、似たような操作対象物（例えば、同一の機能に係る項目）が属するものとする。なお、９の領域に分類されるメニュー画面３００は一例であり、表示対象となる各操作対象物等に応じて領域の数について適宜変更するようにしてもよい。
【００４６】
具体的には、メニュー画面３００には、撮像モード設定領域３１０と、フラッシュ系設定領域３２０と、ホワイトバランス系設定領域３３０と、再生設定領域３４０と、絞り調整領域３５０とが表示される。また、メニュー画面３００には、顔検出系設定領域３６０と、ガイド表示系設定領域３７０と、撮像画像サイズ系設定領域３８０と、動画系設定領域３９０とが表示される。
【００４７】
撮像モード設定領域３１０は、撮像モード（例えば、静止画撮像モード、動画撮像モード）を設定する際に用いられる操作対象物が表示される領域である。
【００４８】
フラッシュ系設定領域３２０は、フラッシュに関する各種設定を行う際に用いられる操作対象物が表示される領域である。
【００４９】
ホワイトバランス系設定領域３３０は、ホワイトバランスに関する各種設定を行う際に用いられる操作対象物が表示される領域である。
【００５０】
再生設定領域３４０は、再生モードを設定するための操作対象物と、画像コンテンツを再生する際に用いられる操作対象物とが表示される領域である。
【００５１】
絞り調整領域３５０は、絞りを調整する際に用いられる操作対象物が表示される領域である。
【００５２】
顔検出系設定領域３６０は、顔検出に関する各種設定を行う際に用いられる操作対象物が表示される領域である。
【００５３】
ガイド表示系設定領域３７０は、ガイド機能（ヘルプ機能）に関する各種設定を行う際に用いられる操作対象物が表示される領域である。
【００５４】
撮像画像サイズ系設定領域３８０は、記録対象となる撮像画像のサイズに関する各種設定を行う際に用いられる操作対象物が表示される領域である。例えば、記録対象となる撮像画像（静止画）のアスペクト比（例えば、４：３、１６：９）や、記録対象となる撮像画像（静止画）の画サイズ（ＳＴＤ、ＷＩＤＥ）を設定することができる。
【００５５】
動画系設定領域３９０は、動画に関する各種設定を行う際に用いられる操作対象物が表示される領域である。
【００５６】
なお、メニュー画面３００に表示される操作対象物や領域等は一例であり、設定されているモードや撮像動作状態等に応じて適宜変更するようにしてもよい。
【００５７】
また、メニュー画面３００における操作対象物（項目）等は、ユーザが操作入力を行う際に用いられる操作領域画像（操作標識）であり、例えば、ユーザによる接触操作（例えば、タッチ操作、なぞる操作（ドラッグ操作））により操作することができる。ただし、メニュー画面３００においては、ユーザによる接触操作の接触サイズ（検出サイズ）に応じた操作対象物（詳細操作対象物）のみを操作可能とし、他の操作対象物（簡易操作対象物）については、操作することができないものとする。このため、操作不能となっている操作対象物（簡易操作対象物）を操作するためには、その操作対象物が表示されている領域（３１０、…、３９０）を選択する選択操作（タッチ操作）を行い、その領域を拡大表示した表示画面（ズーム状態）を表示させる必要がある。この表示例を図６、図８、図９に示す。
【００５８】
例えば、メニュー画面３００が入出力部１５０に表示されている状態で、入出力部１５０においてユーザの指１０によるタッチ操作が行われた場合を想定する。この場合には、制御部１７０は、そのタッチ操作がメニュー画面３００におけるどの位置で行われたかを特定する。すなわち、制御部１７０は、入力制御部１６０から出力された操作情報に基づいて、入出力部１５０の表示面においてユーザの指が接触した位置（接触位置）を特定する。そして、制御部１７０は、その接触位置が詳細操作対象物に含まれる場合には、その詳細操作対象物に応じた処理を行う。一方、制御部１７０は、その接触位置が詳細操作対象物に含まれない場合（その接触位置が簡易操作対象物に含まれる場合を含む）には、その接触位置が含まれる領域（３１０、…、３９０）を拡大して入出力部１５０に表示させるための制御を行う。例えば、ホワイトバランス系設定領域３３０においてユーザの指１０によるタッチ操作が行われた場合における拡大表示の例を図６に示す。
【００５９】
ここで、仮想空間を視点位置の切り替えや拡大縮小表示することにより、データ間の移動や把握をスムーズに行うことができる。また、拡大表示することにより、ユーザが意図する操作対象物に注視することができるため、ユーザは操作をし易くなる。
【００６０】
しかしながら、例えば、メニュー画面３００が表示されている場合には、個々の操作対象物が縮小表示されているため、ユーザが意図する操作対象物と異なる操作対象物に触れたり、２つ以上の操作対象物に触れたりしてしまうことも想定される。なお、ユーザの意に反して２つ以上の操作対象物に触れてしまうことをコンフリクトと称する。
【００６１】
そこで、予め操作を行う側のスタイラスや手指の大きさ（基準サイズ）を一意に規定しておき、表示状態に従って、静的に、操作不能となる表示状態や操作不能な領域を規定しておくことが行われている。これにより、縮小表示されている操作対象物を操作する場合に、コンフリクトや操作誤りの発生を防止することができる。しかしながら、規定された値（基準サイズ）と、操作に用いられるスタイラスや手指の大きさとの差異が大きくなると、操作対象物を誤操作してしまうことも想定される。
【００６２】
特に、表示倍率を無段階に拡大縮小可能な仮想空間においては、規定値（基準サイズ）の大きさと異なる場合には、実際には操作可能に見える操作対象物が、比較的大きな規定値（基準サイズ）に従って制限されてしまい、操作困難となることも想定される。一方、比較的小さな規定値（基準サイズ）に従ってコンフリクトや操作誤りとなることも想定される。
【００６３】
そこで、本技術の第１の実施の形態では、基準サイズとともに検出サイズを用いて詳細操作対象物および簡易操作対象物を決定する。
【００６４】
［詳細操作対象物および簡易操作対象物の判定例］
図４は、本技術の第１の実施の形態における入出力部１５０に表示される操作対象物と、サイズ情報保持部１７１に保持されている基準サイズとの関係を示す図である。
【００６５】
図４（ａ）には、基準サイズ２００と、拡大表示されている操作対象物との関係例を示す。また、図４（ｂ）には、基準サイズ２００と、縮小表示されている操作対象物との関係例を示す。なお、図４（ａ）および（ｂ）では、図３に示すホワイトバランス系設定領域３３０における設定操作画像（操作対象物）３３１乃至３３４を例にして示す。
【００６６】
なお、上述したように、メニュー画面３００に含まれる各領域については、ユーザ操作により拡大縮小を行うことが可能であり、図４（ａ）および（ｂ）では、異なる表示倍率としたホワイトバランス系設定領域３３０を想定して説明する。
【００６７】
ホワイトバランス系設定領域３３０には、設定操作画像３３１乃至３３４が表示される。設定操作画像３３１乃至３３４は、撮像モードの設定時において、ホワイトバランスを調整する際に用いられる操作画像である。例えば、設定操作画像３３１乃至３３４の接触操作によりホワイトバランスを調整することができる。
【００６８】
なお、本技術の実施の形態において比較対象として用いるサイズ（基準サイズ、検出サイズ（接触サイズ）、操作対象物のサイズ）は、入出力部１５０の表示面における面積を意味するものとする。ただし、その形状等により特定される値（例えば、操作対象物を囲む矩形により特定される面積）を用いるようにしてもよい。
【００６９】
ここで、図４（ａ）に示すように、設定操作画像３３１乃至３３４のサイズよりも基準サイズ２００が小さい場合を想定する。この場合には、ユーザが意図する操作対象物（設定操作画像３３１乃至３３４）を細密に操作することができる可能性が高まる。このため、制御部１７０は、基準サイズ２００よりも大きいサイズとなる操作対象物については、詳細操作対象物として決定する。このように、詳細操作対象物として決定された操作対象物については、入出力部１５０の表示面におけるユーザの接触操作による操作が可能となる。
【００７０】
また、図４（ｂ）に示すように、設定操作画像３３１乃至３３４のサイズよりも基準サイズ２００が大きい場合を想定する。この場合には、ユーザが意図する操作対象物（例えば、設定操作画像３３１）と異なる操作対象物（例えば、設定操作画像３３３）の操作を誤って行う操作誤りやコンフリクトが発生するおそれがある。このため、制御部１７０は、基準サイズ２００よりも小さいサイズとなる操作対象物については、簡易操作対象物として決定する。このように、簡易操作対象物として決定された操作対象物については、入出力部１５０の表示面におけるユーザの接触操作による操作は不能となる。
【００７１】
ここで、サイズ情報保持部１７１に保持されている基準サイズおよび検出サイズ（接触サイズ）の関係について説明する。
【００７２】
例えば、検出サイズが基準サイズよりも比較的小さい場合を想定する。この場合には、比較的小さいサイズの操作対象物であっても操作物体（例えば、指）により操作ができることが多くなると想定される。すなわち、基準サイズに基づいて決定された簡易操作対象物であっても、ユーザの意に沿って細密に操作することができる可能性がある。このため、制御部１７０は、検出サイズよりも大きいサイズとなる簡易操作対象物については、詳細操作対象物として新たに決定する。このように、詳細操作対象物として新たに決定された操作対象物については、入出力部１５０の表示面におけるユーザの接触操作による操作が可能となる。
【００７３】
一方、例えば、検出サイズが基準サイズよりも比較的大きい場合を想定する。この場合には、比較的大きいサイズの操作対象物であっても操作物体（例えば、指）による操作が不能となることが多くなると想定される。すなわち、ユーザが意図する操作対象物（例えば、設定操作画像３３１）と異なる操作対象物（例えば、設定操作画像３３３）の操作を誤って行う操作誤りやコンフリクトが発生するおそれがある。このため、制御部１７０は、検出サイズよりも小さいサイズとなる詳細操作対象物（基準サイズに基づいて決定された詳細操作対象物）については、簡易操作対象物として新たに決定する。このように、簡易操作対象物として新たに決定された操作対象物については、入出力部１５０の表示面におけるユーザの接触操作による操作は不能となる。
【００７４】
このように、基準サイズに基づいて決定された詳細操作対象物および簡易操作対象物について、検出サイズに基づいて詳細操作対象物および簡易操作対象物を新たに決定する。すなわち、実際に操作されている操作物体（例えば、指）のサイズ（検出サイズ）に応じた適切な決定（詳細操作対象物および簡易操作対象物の決定）を行うことができる。これにより、操作誤りやコンフリクトの発生を防止することができる。
【００７５】
［操作対象物の表示例］
図５乃至図９は、本技術の第１の実施の形態における入出力部１５０に表示される表示画面例を示す図である。図５乃至図９では、操作物体（例えば、指１０、手２０）のサイズと、詳細操作対象物および簡易操作対象物との関係例を簡略化して示す。
【００７６】
図５には、操作物体として指１０を用いて接触操作を行う場合に表示されるメニュー画面３００を示す。なお、図５に示すメニュー画面３００は、図３と同様である。ただし、メニュー画面３００に表示されている操作対象物（例えば、設定操作画像３３１乃至３３４）のうち、点線の矩形４０１、４０２で囲まれている操作対象物のみが詳細操作対象物であるものとする。このため、メニュー画面３００においては、９の領域（３１０、…、３９０）の選択操作と、点線の矩形４０１、４０２で囲まれている詳細操作対象物の操作との接触操作のみを行うことができる。
【００７７】
なお、詳細操作対象物および簡易操作対象物をユーザが容易に区別することができるように、これらを異なる表示態様として表示するようにしてもよい。例えば、詳細操作対象物をハイライト（簡易操作対象物と比較して明るく表示する）とすることができる。また、メニュー画面３００が白を基調とする表示画面である場合には、詳細操作対象物を青色表示とするようにしてもよい。また、詳細操作対象物を微小で拡大縮小させる動作を繰り返して表示させるようにしてもよい（例えば、詳細操作対象物をフワフワ動く感じに表示する）。
【００７８】
ここで、点線の矩形４０１、４０２で囲まれている詳細操作対象物以外の操作対象物（簡易操作対象物（例えば、設定操作画像３３１乃至３３４））については、各領域を拡大表示させることにより操作することができる。
【００７９】
例えば、ホワイトバランス系設定領域３３０に表示されている設定操作画像（簡易操作対象物）３３１乃至３３４を操作するため、ホワイトバランス系設定領域３３０を拡大表示する例を図６に示す。
【００８０】
図６には、図５に示すメニュー画面３００において、ホワイトバランス系設定領域３３０へのタッチ操作がユーザにより行われた場合に表示されるメニュー画面４１０を示す。すなわち、メニュー画面４１０は、ホワイトバランス系設定領域３３０を拡大した画面である。このように、グループ化された操作対象物が拡大表示された状態（ズーム状態）で、グループ単位で１つの画面（メニュー画面４１０）に表示される。
【００８１】
メニュー画面４１０には、設定操作画像（詳細操作対象物）３３１乃至３３４が表示される。なお、設定操作画像（詳細操作対象物）３３１乃至３３４は、図４と同様である。
【００８２】
図５および図６に示すように、表示制御装置１００には、操作対象物が縮小表示された縮小表示状態（俯瞰状態）のメニュー画面と、操作対象物が拡大表示された拡大表示状態（ズーム状態）のメニュー画面とが表示される。また、これらのメニュー画面の表示は、ユーザ操作（例えば、入出力部１５０の表示面の接触操作、第１ボタン１１１乃至第３ボタン１１３の押下操作）により切り替えられる。
【００８３】
ここで、メニュー画面４１０に表示されている設定操作画像３３１乃至３３４の全てが詳細操作対象物（点線の矩形４１１乃至４１４で囲んで示す）であるものとする。このため、メニュー画面４１０においては、設定操作画像３３１乃至３３４の全ての接触操作を行うことができる。
【００８４】
ここで、例えば、メニュー画面４１０における設定操作画像３３１乃至３３４のサイズよりも大きい検出サイズとなる操作物体により接触操作が行われることも想定される。例えば、図７に示すように、操作物体としてグーの状態の手２０を用いて接触操作を行うことも想定される。そこで、図７乃至図９では、比較的大きい検出サイズとなる操作物体により接触操作が行われる場合における詳細操作対象物および簡易操作対象物の関係例を示す。
【００８５】
図７には、操作物体としてグーの状態の手２０の甲を用いて接触操作を行う場合に表示されるメニュー画面３００を示す。例えば、手２０で何かを握っている状態で接触操作を行う場合が想定される。なお、図７に示すメニュー画面３００は、図３と同様である。
【００８６】
ただし、メニュー画面３００に表示されている操作対象物（例えば、設定操作画像３３１乃至３３４）の全部が簡易操作対象物であるものとする。このため、メニュー画面３００においては、９の領域（３１０、…、３９０）の選択操作のみを接触操作により行うことができる。
【００８７】
このため、各操作対象物（簡易操作対象物（例えば、設定操作画像３３１乃至３３４））について接触操作を行うためには、各領域を拡大表示させる必要がある。例えば、ホワイトバランス系設定領域３３０に表示されている設定操作画像（簡易操作対象物）３３１乃至３３４を操作するため、ホワイトバランス系設定領域３３０を拡大表示する例を図８に示す。
【００８８】
図８には、図７に示すメニュー画面３００において、ホワイトバランス系設定領域３３０へのタッチ操作がユーザにより行われた場合に表示されるメニュー画面４１０を示す。なお、図８に示すメニュー画面４１０は、図６と同様である。
【００８９】
ただし、メニュー画面４１０に表示されている操作対象物（設定操作画像３３１乃至３３４）の全部が簡易操作対象物である点が異なる。
【００９０】
このため、各操作対象物（設定操作画像３３１乃至３３４）について接触操作を行うためには、各領域をさらに拡大表示させる必要がある。例えば、設定操作画像（簡易操作対象物）３３１を操作するため、設定操作画像（簡易操作対象物）３３１を拡大表示する例を図９に示す。
【００９１】
図９には、図８に示すメニュー画面４１０において、設定操作画像３３１を拡大させる操作（例えば、設定操作画像３３１の付近のタッチ操作）がユーザにより行われた場合に表示されるメニュー画面４２０を示す。すなわち、メニュー画面４２０は、設定操作画像３３１を拡大した画面である。
【００９２】
ここで、メニュー画面４２０に表示されている設定操作画像３３１が詳細操作対象物（点線の矩形４２１で囲んで示す）であるものとする。このため、メニュー画面４２０においては、設定操作画像３３１の接触操作を行うことができる。
【００９３】
このように、比較的大きい検出サイズとなる操作物体により接触操作が行われる場合には、その検出サイズとなる程度に操作対象物を拡大表示させる必要がある。
【００９４】
［表示制御装置の動作例］
図１０および図１１は、本技術の第１の実施の形態における表示制御装置１００による表示制御処理の処理手順の一例を示すフローチャートである。
【００９５】
最初に、制御部１７０は、メニュー画面の表示指示操作が行われたか否かを判断し（ステップＳ９０１）、メニュー画面の表示指示操作が行われていない場合には、監視を継続して行う。メニュー画面の表示指示操作が行われた場合には（ステップＳ９０１）、制御部１７０は、サイズ情報保持部１７１に保持されている基準サイズに基づいて、詳細操作対象物および簡易操作対象物を決定する（ステップＳ９０２）。すなわち、表示対象となるメニュー画面に含まれる各操作対象物が、詳細操作対象物および簡易操作対象物の何れかに決定される（ステップＳ９０２）。
【００９６】
続いて、表示制御部１８０は、制御部１７０の指示に基づいて、メニュー画面を表示部１５２に表示させる（ステップＳ９０３）。例えば、図３に示すメニュー画面３００が表示される。ここで、メニュー画面に表示される操作対象物のうち、詳細操作対象物は操作可能であるのに対し、簡易操作対象物は操作不能である。
【００９７】
続いて、制御部１７０は、ユーザによる操作が行われたか否かを判断し（ステップＳ９０４）、ユーザによる操作が行われていない場合には、監視を継続して行う。一方、ユーザによる操作が行われた場合には（ステップＳ９０４）、制御部１７０は、その操作がメニュー画面の表示終了操作であるか否かを判断する（ステップＳ９０５）。そして、その操作がメニュー画面の表示終了操作である場合には（ステップＳ９０５）、表示制御処理の動作を終了する。
【００９８】
その操作がメニュー画面の表示終了操作でない場合には（ステップＳ９０５）、制御部１７０は、入出力部１５０の表示面における接触操作が行われたか否かを判断し（ステップＳ９０６）、接触操作が行われていない場合には、ステップＳ９０８に進む。入出力部１５０の表示面における接触操作が行われた場合には（ステップＳ９０６）、制御部１７０は、その接触操作に基づいて操作物体（例えば、指）のサイズ（例えば、接触面積）を取得してサイズ情報保持部１７１に保持させる（ステップＳ９０７）。この場合に、過去のサイズ（例えば、接触面積）の平均値が算出され、この平均値が検出サイズ（接触サイズ）としてサイズ情報保持部１７１に保持される。なお、ステップＳ９０６は、特許請求の範囲に記載の検出手順の一例である。
【００９９】
続いて、制御部１７０は、その操作が表示倍率の変更操作であるか否かを判断する（ステップＳ９０８）。そして、その操作が表示倍率の変更操作である場合には（ステップＳ９０８）、制御部１７０は、サイズ情報保持部１７１に保持されている基準サイズに基づいて、変更後の表示倍率に係る詳細操作対象物および簡易操作対象物を決定する（ステップＳ９０９）。すなわち、変更後の表示倍率となるメニュー画面に含まれる各操作対象物について、詳細操作対象物および簡易操作対象物が新たに決定される（ステップＳ９０９）。続いて、表示制御部１８０は、制御部１７０の指示に基づいて、変更後の表示倍率でメニュー画面を表示部１５２に表示させ（ステップＳ９１０）、ステップＳ９０４に戻る。
【０１００】
また、その操作が表示倍率の変更操作でない場合には（ステップＳ９０８）、制御部１７０は、その操作に応じた処理を行う（ステップＳ９１１）。続いて、制御部１７０は、サイズ情報保持部１７１に検出サイズが保持されているか否かを判断し（ステップＳ９１２）、サイズ情報保持部１７１に検出サイズが保持されていない場合には、ステップＳ９０４に戻る。
【０１０１】
サイズ情報保持部１７１に検出サイズが保持されている場合には（ステップＳ９１３）、制御部１７０は、サイズ情報保持部１７１に保持されている基準サイズおよび検出サイズを比較する（ステップＳ９１３）。そして、検出サイズが基準サイズよりも一定値以上小さい場合には（ステップＳ９１３）、制御部１７０は、メニュー画面に含まれる簡易操作対象物のうち、検出サイズにより操作可能となる操作対象物を詳細操作対象物として決定する（ステップＳ９１４）。すなわち、表示部１５２に表示されているメニュー画面に含まれる簡易操作対象物のうち、検出サイズにより操作可能となる操作対象物については、簡易操作対象物から詳細操作対象物に変更される（ステップＳ９１４）。
【０１０２】
また、検出サイズが基準サイズよりも一定値以上小さくない場合には（ステップＳ９１３）、制御部１７０は、検出サイズが基準サイズよりも一定値以上大きいか否かを判断する（ステップＳ９１５）。検出サイズが基準サイズよりも一定値以上大きい場合には（ステップＳ９１５）、制御部１７０は、メニュー画面に含まれる詳細操作対象物のうち、検出サイズにより操作困難（操作不能）となる操作対象物を簡易操作対象物として決定する（ステップＳ９１６）。すなわち、表示部１５２に表示されているメニュー画面に含まれる詳細操作対象物のうち、検出サイズにより操作困難となる操作対象物については、詳細操作対象物から簡易操作対象物に変更される（ステップＳ９１６）。
【０１０３】
また、検出サイズが基準サイズよりも一定値以上大きくない場合（例えば、検出サイズおよび基準サイズが略同一）には（ステップＳ９１５）、ステップＳ９０４に進む。なお、ステップＳ９１３乃至Ｓ９１６は、特許請求の範囲に記載の制御手順の一例である。
【０１０４】
このように、本技術の第１の実施の形態では、操作に用いられるスタイラスや手指の大きさを計測し、表示の状態に従って、操作困難と予測される操作対象物を、動的に、詳細操作対象から簡略操作対象に制限する。また、操作を行う側の大きさが予め想定して規定した大きさ（基準サイズ）と異なる場合や、仮想空間内の拡大縮小表示がいかなる表示倍率に変更された場合でも、コンフリクトや操作誤りの発生を防止することができる。すなわち、操作に用いられるスタイラスや手指の大きさを計測し、表示状態に従って、動的に、操作対象物の決定処理に反映することにより、視点位置の切り替えや拡大縮小表示された仮想空間におけるコンフリクトや操作誤りの発生を防止することができる。
【０１０５】
なお、本技術の第１の実施の形態では、基準サイズに基づいて決定された詳細操作対象物および簡易操作対象物について、検出サイズを用いて新たに決定処理を行う例を示す。ただし、検出サイズのみに基づいて詳細操作対象物および簡易操作対象物を決定するようにしてもよい。
【０１０６】
［他の判定例］
以上では、表示画面における操作対象物のサイズと、基準サイズや検出サイズとの比較結果に基づいて詳細操作対象物および簡易操作対象物を決定する例を示した。ただし、例えば、表示画面におけるサイズが比較的小さい操作対象物であっても、その周りに他の操作対象物が存在しない場合等には、操作が可能となると考えられる。
【０１０７】
そこで、表示画面における操作対象物のサイズ以外の他の要素を判定に用いる例を示す。
【０１０８】
最初に、表示画面内（または、所定範囲の領域内）における操作対象物の数を判定要素とする判定例について説明する。例えば、表示画面における操作対象物のサイズが、検出サイズよりも著しく小さい場合であっても、表示画面内（または、所定範囲の領域内）に存在する操作対象物が１つの場合には、操作可能となることが考えられる。このため、表示画面内（または、所定範囲の領域内）に存在する操作対象物が１つの場合には、その操作対象物を詳細操作対象物として決定する。すなわち、操作対象物が検出サイズよりも著しく小さい場合であっても、その周りに何も無ければ、その操作対象物を詳細操作対象物とする。
【０１０９】
このように、制御部１７０は、表示面における物体の接触サイズに基づいて操作入力を不能とすることが判断される操作対象物であっても、所定条件を満たす場合には、その操作対象物の操作入力を可能とする。なお、所定条件を満たす場合は、例えば、表示面における所定領域内に存在するその操作対象物および他の操作対象物の数が所定数（例えば、１）以内となる場合である。
【０１１０】
次に、表示画面における操作対象物間の距離を判定要素とする判定例について説明する。例えば、表示画面内（または、所定範囲の領域内）に操作対象物が複数存在する場合を想定する。この場合に、表示画面における各操作対象物のサイズ（例えば、２つの操作対象物を結ぶ方向における長さ）が、２つの操作対象物間の距離よりも一定値以上大きい場合には、これらの２つの操作対象物が、操作困難（操作不能）となることが考えられる。このため、表示画面における各操作対象物のサイズが、２つの操作対象物間の距離よりも一定値以上大きい場合には、その操作対象物を簡易操作対象物として決定する。
【０１１１】
このように、制御部１７０は、表示面における物体の接触サイズにより特定される値を基準として、複数の操作対象物のうちの２つの操作対象物間の表示面における距離が小さい場合には、２つの操作対象物の操作入力を不能とする。
【０１１２】
すなわち、ユーザが意図する操作対象物と異なる操作対象物の操作を行う操作誤りやコンフリクトの発生を防ぐため、操作対象物の間隔、その位置関係、その数等に基づいて、詳細操作対象物および簡易操作対象物を決定することができる。
【０１１３】
＜２．第２の実施の形態＞
本技術の第１の実施の形態では、基準サイズおよび検出サイズに基づいて詳細操作対象物および簡易操作対象物を決定する例を示した。ここで、表示画面に操作困難となる操作対象物が存在する場合には、表示倍率を変更してその操作対象物を操作可能とすることも考えられる。
【０１１４】
そこで、本技術の第２の実施の形態では、表示画面に操作困難となる操作対象物が存在する場合には、表示倍率を変更（例えば、拡大）してその操作対象物を操作可能とする例を示す。なお、本技術の第２の実施の形態における表示制御装置の構成については、図１、図２等に示す例と略同様である。このため、本技術の第１の実施の形態と共通する部分については、その説明の一部を省略する。
【０１１５】
［表示制御装置の動作例］
図１２は、本技術の第２の実施の形態における表示制御装置１００による表示制御処理の処理手順の一例を示すフローチャートである。なお、サイズ情報保持部１７１には、履歴情報として検出サイズが順次保持されているものとする。また、ステップＳ９２１、Ｓ９２２については、図１０に示すステップＳ９０６、Ｓ９０７の処理手順と同一であるため、ここでの説明を省略する。
【０１１６】
制御部１７０は、今回取得された検出サイズと、サイズ情報保持部１７１に保持されている過去の検出サイズとを比較して、これらが一定値以上異なるか否かを判断する（ステップＳ９２３）。そして、２つの検出サイズが一定値の範囲内である場合には（ステップＳ９２３）、表示制御処理の動作を終了する。
【０１１７】
２つの検出サイズが一定値以上である場合には（ステップＳ９２３）、制御部１７０は、メニュー画面に含まれる操作対象物のうち、今回の検出サイズにより操作困難（操作不能）となる操作対象物が存在するか否かを判断する（ステップＳ９２４）。そして、今回の検出サイズにより操作困難（操作不能）となる操作対象物が存在しない場合には（ステップＳ９２４）、表示制御処理の動作を終了する。
【０１１８】
また、今回の検出サイズにより操作困難（操作不能）となる操作対象物が存在する場合には（ステップＳ９２４）、制御部１７０は、その操作困難（操作不能）となる操作対象物が、今回の検出サイズにより操作可能となる表示倍率を算出する（ステップＳ９２５）。すなわち、メニュー画面に含まれる全ての操作対象物が、詳細操作対象物となる表示倍率が算出される。続いて、表示制御部１８０は、制御部１７０の指示に基づいて、算出された表示倍率のメニュー画面を表示部１５２に表示させる（ステップＳ９２６）。例えば、最新の接触操作が行われた位置を中心位置としてメニュー画面が拡大表示される。
【０１１９】
なお、表示部１５２に表示されている簡易操作対象物についてユーザによる接触操作がされた場合にのみ、その接触操作がされた簡易操作対象物およびその周辺を拡大表示するようにしてもよい。
【０１２０】
このように、制御部１７０は、表示面における物体の接触サイズに基づいて、操作対象物の表示内容を変更するための制御を行う。具体的には、制御部１７０は、表示面における物体の接触サイズに基づいて操作入力を不能とすることが判断される操作対象物が存在する場合には、その操作対象物の操作入力を可能とするサイズまでその操作対象物を拡大して表示させるための制御を行う。
【０１２１】
＜３．変形例＞
本技術の第１および第２の実施の形態では、表示制御装置１００の操作中における操作入力（入出力部１５０の表示面における接触操作）を用いて検出サイズを取得する例を示した。ここで、検出サイズを測定するための測定画面において検出サイズを取得することも考えられる。そこで、以下では、測定画面において検出サイズを取得する例を示す。
【０１２２】
［検出サイズの測定例］
図１３は、本技術の実施の形態における入出力部１５０に表示される表示画面例（検出サイズ測定画面５００）およびその測定結果を示す図である。なお、図１３に示す測定方法は、例えば、一般的なタッチパネルの精度調整画面において行われるキャリブレーション手順に組み込む方法により実現することができる。
【０１２３】
図１３（ａ）には、検出サイズを測定するための検出サイズ測定画面５００を示す。検出サイズ測定画面５００には、接触位置画像５０１およびなぞる方向画像５０２が表示される。検出サイズ測定画面５００において検出サイズの測定を行う場合には、ユーザは、入出力部１５０の表示面における操作入力に用いる物体（例えば、ユーザの指５０）を接触位置画像５０１にタッチする。続いて、ユーザは、そのタッチ後に、入出力部１５０の表示面に指５０が接触している状態で、なぞる方向画像５０２の矢印に沿って指５０を移動させる。
【０１２４】
このように、検出サイズ測定画面５００においてユーザが指５０の接触操作およびなぞる操作を行うことにより、指５０の接触サイズ（検出サイズ）を測定することができる。なお、この例では、接触操作およびなぞる操作を行うことにより指５０の接触サイズ（検出サイズ）を測定する例を示すが、何れか一方の操作を行うことにより指５０の接触サイズ（検出サイズ）を測定するようにしてもよい。
【０１２５】
図１３（ｂ）には、検出サイズ測定画面５００における接触操作およびなぞる操作により測定された検出サイズ５１１、５１２を簡略化して示す。
【０１２６】
例えば、操作に用いられるユーザの指の大きさや表示面への接触の強さ等に応じて、検出サイズが大きくなったり、小さくなったりする。また、指以外の物体（例えば、スタイラス等のデバイス）を操作に用いることも想定されるため、操作に用いられる物体によっても、検出サイズが大きくなったり、小さくなったりする。
【０１２７】
例えば、検出サイズ５１１は、比較的小さい物体を用いる場合における測定例を示し、検出サイズ５１２は、操作に用いられるユーザの指が比較的大きい場合における測定例を示す。なお、図１３（ｂ）等で示す指のサイズは、説明の容易のため、分かり易い大きさにして図示する。
【０１２８】
このように、制御部１７０は、入力制御部１６０から出力された操作情報に基づいて、検出サイズを算出する。そして、制御部１７０は、算出された検出サイズを、サイズ情報保持部１７１に保持させる。
【０１２９】
なお、本技術の実施の形態では、静電式（静電容量方式）のタッチパネルを用いる例を示したが、感圧式（抵抗膜圧式）や光式等のタッチパネルを用いるようにしてもよい。
【０１３０】
また、本技術の実施の形態では、無線通信装置等の表示制御装置を例にして説明した。ただし、仮想空間を視点位置の切り替えや拡大縮小表示することが可能な他の表示制御装置（電子機器）に本技術の実施の形態を適用することができる。例えば、デジタルスチルカメラ、デジタルビデオカメラ（例えば、カメラ一体型レコーダ）、デジタルフォトフレーム、スマートフォン、タブレット、デジタルサイネージ端末、自動販売機、カーナビゲーション等の機器に適用することができる。
【０１３１】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１３２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１３３】
なお、本技術は以下のような構成もとることができる。
（１）  操作入力を行うための操作対象物が表示される表示面に接触する物体を検出する検出部と、
前記表示面における物体の接触サイズに基づいて前記操作対象物の操作内容を変更するための制御を行う制御部と
を具備する表示制御装置。
（２）  前記表示面には複数の前記操作対象物が表示され、
前記制御部は、前記表示面における物体の接触サイズに基づいて前記複数の操作対象物のうちの少なくとも一部の操作内容を変更する
記（１）に記載の表示制御装置。
（３）  前記制御部は、前記表示面における物体の接触サイズにより特定される値を基準として、前記複数の操作対象物のうちの２つの操作対象物間の前記表示面における距離が小さい場合には、前記２つの操作対象物の操作入力を不能とする前記（２）に記載の表示制御装置。
（４）  前記制御部は、前記表示面における物体の接触サイズと、前記表示面における前記操作対象物のサイズとの比較結果に基づいて前記操作内容を変更する前記（１）から（３）のいずれかに記載の表示制御装置。
（５）  前記制御部は、前記表示面における物体の接触サイズを基準とし、前記表示面における前記操作対象物のサイズが大きい場合には当該操作対象物の操作入力を可能とし、前記表示面における前記操作対象物のサイズが小さい場合には当該操作対象物の操作入力を不能とする前記（４）に記載の表示制御装置。
（６）  前記制御部は、前記表示面における物体の接触サイズに基づいて前記操作対象物の操作入力を不能とすることにより前記操作対象物の操作内容を変更する前記（１）に記載の表示制御装置。
（７）  前記制御部は、前記表示面における物体の接触サイズに基づいて操作入力を不能とすることが判断される操作対象物であっても前記表示面における所定領域内に存在する当該操作対象物および他の操作対象物の数が所定数以内の場合には当該操作対象物の操作入力を可能とする前記（１）に記載の表示制御装置。
（８）  前記制御部は、前記表示面における物体の接触サイズに基づいて操作入力を不能とすることが判断される操作対象物が存在する場合には当該操作対象物の操作入力を可能とするサイズまで当該操作対象物を拡大して表示させるための制御を行う前記（１）に記載の表示制御装置。
（９）  操作入力を行うための操作対象物が表示される表示面に接触する物体を検出する検出部と、
前記表示面における物体の接触サイズに基づいて前記操作対象物の表示内容を変更するための制御を行う制御部と
を具備する表示制御装置。
（１０）  操作入力を行うための操作対象物が表示される表示面に接触する物体を検出する検出手順と、
前記表示面における物体の接触サイズに基づいて前記操作対象物の操作内容を変更する制御手順と
を具備する表示制御装置の制御方法。
（１１）  操作入力を行うための操作対象物が表示される表示面に接触する物体を検出する検出手順と、
前記表示面における物体の接触サイズに基づいて前記操作対象物の操作内容を変更する制御手順と
をコンピュータに実行させるプログラム。
【符号の説明】
【０１３４】
１００  表示制御装置
１０１、１０２  スピーカ
１１０  操作受付部
１１１  第１ボタン
１１２  第２ボタン
１１３  第３ボタン
１１４  第４ボタン
１１５  第５ボタン
１２０  撮像部
１２１  レンズ
１３０  記録媒体制御部
１４０  記録媒体
１５０  入出力部
１５１  受付部
１５２  表示部
１６０  入力制御部
１７０  制御部
１７１  サイズ情報保持部
１８０  表示制御部
【図１】
0005962085.tif 000002
【図２】
0005962085.tif 000003
【図３】
0005962085.tif 000004
【図４】
0005962085.tif 000005
【図５】
0005962085.tif 000006
【図６】
0005962085.tif 000007
【図７】
0005962085.tif 000008
【図８】
0005962085.tif 000009
【図９】
0005962085.tif 000010
【図１０】
0005962085.tif 000011
【図１１】
0005962085.tif 000012
【図１２】
0005962085.tif 000013
【図１３】
0005962085.tif 000014